(57)【要約】【課題】本発明は点灯装置、照明器具および照明システムに関し、入力電力を正確に演算できる点灯装置、照明器具および照明システムを得ることを目的とする。【解決手段】本発明に係る点灯装置は、電源を供給され、光源を点灯させる点灯回路と、該電源の電源電圧を検出する電源電圧検出部と、該電源から該点灯回路に供給される入力電流を検出する入力電流検出部と、該電源電圧と該入力電流とから、該電源から該点灯回路への入力電力を演算する演算部と、を備える。【選択図】図１
2019220373.tif 000002
【特許請求の範囲】
【請求項１】
電源を供給され、光源を点灯させる点灯回路と、
前記電源の電源電圧を検出する電源電圧検出部と、
前記電源から前記点灯回路に供給される入力電流を検出する入力電流検出部と、
前記電源電圧と前記入力電流とから、前記電源から前記点灯回路への入力電力を演算する演算部と、
を備えることを特徴とする点灯装置。
【請求項２】
前記点灯回路から前記光源に供給される負荷電圧を検出する負荷電圧検出部と、
前記点灯回路から前記光源に供給される負荷電流を検出する負荷電流検出部と、
を備え、
前記演算部は、前記負荷電圧と前記負荷電流とから、前記点灯回路から前記光源に供給される出力電力を演算し、前記出力電力と前記入力電力とから前記点灯装置の電力変換効率を演算することを特徴とする請求項１に記載の点灯装置。
【請求項３】
前記入力電流検出部は、非接触型の電流センサーを備えることを特徴とする請求項１または２に記載の点灯装置。
【請求項４】
前記入力電流検出部は、前記点灯装置の入力端と、前記電源と、を繋ぐ配線から前記入力電流を検出することを特徴とする請求項１から３の何れか１項に記載の点灯装置。
【請求項５】
前記入力電流検出部はコネクタを介して前記演算部と接続されることを特徴とする請求項１から４の何れか１項に記載の点灯装置。
【請求項６】
前記演算部は、前記入力電力を予め定められた方式の信号に変換して外部に送信することを特徴とする請求項１から５の何れか１項に記載の点灯装置。
【請求項７】
請求項１から６の何れか１項に記載の点灯装置と、
前記光源と、
を備えることを特徴とする照明器具。
【請求項８】
第１光源と、第１点灯装置と、を備える第１照明器具と、
第２光源と、第２点灯装置と、を備える第２照明器具と、
前記第１照明器具と前記第２照明器具を制御する制御装置と、
を備え、
前記第１点灯装置は、
電源を供給され、前記第１光源を点灯させる第１点灯回路と、
前記電源の電源電圧を検出する電源電圧検出部と、
前記電源から前記第１点灯回路に供給される入力電流を検出する入力電流検出部と、
前記第１点灯回路から前記第１光源に供給される第１負荷電圧を検出する第１負荷電圧検出部と、
前記第１点灯回路から前記第１光源に供給される第１負荷電流を検出する第１負荷電流検出部と、
前記電源電圧と前記入力電流とから前記電源から前記第１点灯回路への入力電力を演算し、前記第１負荷電圧と前記第１負荷電流とから前記第１点灯回路から前記第１光源に供給される第１出力電力を演算し、前記第１出力電力と前記入力電力とから前記第１点灯装置の電力変換効率を演算する第１演算部と、
を備え、
前記第２点灯装置は、
前記電源を供給され、前記第２光源を点灯させる第２点灯回路と、
前記第２点灯回路から前記第２光源に供給される第２負荷電圧を検出する第２負荷電圧検出部と、
前記第２点灯回路から前記第２光源に供給される第２負荷電流を検出する第２負荷電流検出部と、
前記第２負荷電圧と前記第２負荷電流とから、前記第２点灯回路から前記第２光源に供給される第２出力電力を演算する第２演算部と、
を備え、
前記制御装置は、前記電力変換効率と前記第２出力電力とから、前記電源から前記第２点灯回路への第２入力電力を演算することを特徴とする照明システム。
【請求項９】
前記第１照明器具と前記第２照明器具は、同一の制御グループに属し、
前記制御装置は、前記第１照明器具と前記第２照明器具をまとめて制御することを特徴とする請求項８に記載の照明システム。
【請求項１０】
前記第１点灯回路と前記第２点灯回路は、同じ回路構成であることを特徴とする請求項８または９に記載の照明システム。
【請求項１１】
前記第１光源と前記第２光源は、同じ種類の光源であることを特徴とする請求項８から１０の何れか１項に記載の照明システム。
【発明の詳細な説明】
【技術分野】
【０００１】
本発明は、点灯装置、照明器具および照明システムに関する。
【背景技術】
【０００２】
特許文献１には、入力電力を求めることのできる照明器具が開示されている。この照明器具は、光源負荷と、電力変換部と、制御部と、電圧検出部と、負荷電力演算部と、入力電力推定部とを備える。電力変換部は、光源負荷に供給する負荷電力を調整する。制御部は、光源負荷に流れる負荷電流が一定値となるように電力変換部の動作を制御する。電圧検出部は、光源負荷に印加される負荷電圧を検出する。負荷電力演算部は、電圧検出部で検出した電圧検出値と補正係数を用いて光源負荷の負荷電力を求める。入力電力推定部は負荷電力と回路損失とを用いて入力電力を推定する。この照明器具では、実測値に対して−３．５％〜＋３．５％の誤差の範囲で入力電力を求めることができる。
【先行技術文献】
【特許文献】
【０００３】
【特許文献１】特開２０１４−２６７３７号公報
【発明の概要】
【発明が解決しようとする課題】
【０００４】
一般に、消費電力を表示することができる照明制御システムがある。表示された消費電力は、使用者または設備の管理者が例えば節電等に役立てる。このような照明制御システムの電力表示は、１台の照明器具の消費電力ａＷに、システム内に接続された照明器具の台数ｎを掛けた値ａＷ×ｎである場合がある。この電力表示は概略値である。故障またはランプが装着されていない等の理由で照明器具が点灯していない場合でも、点灯している前提で消費電力が表示される。このため、消費電力が正確ではない可能性がある。
【０００５】
また、特許文献１では負荷電力および回路損失を用いて、入力電力を求めている。一般に点灯回路では、負荷の状態、入力電圧、周囲温度等の複数の条件により回路内部の発熱状態が変わる。このため、一般に負荷電力及び回路損失は、回路に使用する部品の温度特性により常に変化している。
【０００６】
このため、補正係数および回路損失の妥当性を確認するためには、仕様範囲内の入力電源電圧の各ポイント、負荷の調光状態の各ポイント、負荷特性のばらつきの各ポイント、仕様範囲内の周囲温度の各ポイント等で確認が必要となることが考えられる。よって、多大な条件の組合せにより補正係数および回路損失の妥当性を確認するため、多大な手間が掛かるおそれがある。また、補正係数および回路損失を設定したときに想定した範囲外の条件が生じた場合、実測値に対する誤差が非常に大きくなる可能性があった。
【０００７】
本発明は、上述の課題を解決するためになされたもので、入力電力をより正確に演算できる点灯装置、照明器具および照明システムを得ることを目的とする。
【課題を解決するための手段】
【０００８】
本発明に係る点灯装置は、電源を供給され、光源を点灯させる点灯回路と、該電源の電源電圧を検出する電源電圧検出部と、該電源から該点灯回路に供給される入力電流を検出する入力電流検出部と、該電源電圧と該入力電流とから、該電源から該点灯回路への入力電力を演算する演算部と、を備える。
【０００９】
本発明に係る照明システムは、第１光源と、第１点灯装置と、を備える第１照明器具と、第２光源と、第２点灯装置と、を備える第２照明器具と、該第１照明器具と該第２照明器具を制御する制御装置と、を備え、該第１点灯装置は、電源を供給され、該第１光源を点灯させる第１点灯回路と、該電源の電源電圧を検出する電源電圧検出部と、該電源から該第１点灯回路に供給される入力電流を検出する入力電流検出部と、該第１点灯回路から該第１光源に供給される第１負荷電圧を検出する第１負荷電圧検出部と、該第１点灯回路から該第１光源に供給される第１負荷電流を検出する第１負荷電流検出部と、該電源電圧と該入力電流とから該電源から該第１点灯回路への入力電力を演算し、該第１負荷電圧と該第１負荷電流とから該第１点灯回路から該第１光源に供給される第１出力電力を演算し、該第１出力電力と該入力電力とから該第１点灯装置の電力変換効率を演算する第１演算部と、を備え、該第２点灯装置は、該電源を供給され、該第２光源を点灯させる第２点灯回路と、該第２点灯回路から該第２光源に供給される第２負荷電圧を検出する第２負荷電圧検出部と、該第２点灯回路から該第２光源に供給される第２負荷電流を検出する第２負荷電流検出部と、該第２負荷電圧と該第２負荷電流とから、該第２点灯回路から該第２光源に供給される第２出力電力を演算する第２演算部と、を備え、該制御装置は、該電力変換効率と該第２出力電力とから、該電源から該第２点灯回路への第２入力電力を演算する。
【発明の効果】
【００１０】
本発明に係る点灯装置および照明システムでは、入力電流検出部によって入力電流が検出される。演算部は、電源電圧と入力電流とから、点灯回路への入力電力を演算する。このため、入力電力を正確に演算できる。
【図面の簡単な説明】
【００１１】
【図１】実施の形態１に係る照明器具の回路ブロック図である。
【図２】調光率と電力変換効率の関係の一例を示す図である。
【図３】実施の形態１の変形例に係る照明システムの構成を説明する図である。
【図４】実施の形態２に係る照明システムの構成を説明する図である。
【発明を実施するための形態】
【００１２】
本発明の実施の形態に係る点灯装置、照明器具および照明システムについて図面を参照して説明する。同じ又は対応する構成要素には同じ符号を付し、説明の繰り返しを省略する場合がある。
【００１３】
実施の形態１．
図１は、実施の形態１に係る照明器具６の回路ブロック図である。照明器具６は、点灯装置８０と、負荷回路４０とを備える。点灯装置８０は、入力フィルタ整流回路１０、直流電源回路２０、電流調整回路３０、制御回路５０、外部インタフェース部１００および入力電流検出部５００を備える。入力フィルタ整流回路１０、直流電源回路２０および電流調整回路３０は、電源７を供給され負荷回路４０を点灯させる点灯回路を構成する。電源７は例えば商用電源である。本実施の形態では、電源７は交流電源である。
【００１４】
入力フィルタ整流回路１０は、入力フィルタ回路１１とダイオード１２〜１５を備える。入力フィルタ回路１１はノイズフィルタである。入力フィルタ回路１１は、図示しないインダクタおよびコンデンサを備える。ダイオード１２〜１５は、交流電圧を全波整流する。
【００１５】
直流電源回路２０は、例えば、インダクタ２１、ダイオード２２、スイッチング素子２４および平滑コンデンサ２３から構成される。直流電源回路２０は、昇圧チョッパ方式の力率改善回路である。直流電源回路２０は高調波を抑制する。直流電源回路２０において、入力フィルタ整流回路１０の高電位側の出力には、インダクタ２１の一端が接続される。インダクタ２１の他端には、ダイオード２２のアノードと、スイッチング素子２４のドレインが接続される。スイッチング素子２４は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子２４のソースは入力フィルタ回路１１の低電位側の出力に接続される。
【００１６】
スイッチング素子２４のゲートは、駆動回路５２に接続される。ダイオード２２のカソードは、平滑コンデンサ２３の正極に接続される。平滑コンデンサ２３の負極は、入力フィルタ整流回路１０の低電位側の出力に接続される。マイクロコンピュータ５１は、駆動回路５２を介してスイッチング素子２４をスイッチングする。マイクロコンピュータ５１は、直流電源回路２０への入力電流が正弦波になるようにスイッチング素子２４をスイッチングする。これにより、直流電源回路２０への入力電圧は昇圧され、平滑コンデンサ２３に充電される。直流電源回路２０の出力電圧は、一定に制御される。
【００１７】
電流調整回路３０は、直流電源回路２０の出力に接続される。電流調整回路３０は、負荷回路４０に直流電流を流す。電流調整回路３０は、例えば、スイッチング素子３１、インダクタ３２、コンデンサ３３、ダイオード３４および電流検出抵抗３５から構成される。電流調整回路３０は、例えばバックコンバータ方式で定電流制御される。
【００１８】
スイッチング素子３１は、例えばＭＯＳＦＥＴである。スイッチング素子３１のドレインには、平滑コンデンサ２３の正極が接続される。スイッチング素子３１のソースには、ダイオード３４のカソードと、インダクタ３２の一端が接続される。スイッチング素子３１のゲートは駆動回路５２に接続される。ダイオード３４のアノードは平滑コンデンサ２３の負極に接続される。インダクタ３２の他端は、コンデンサ３３の正極に接続される。コンデンサ３３の負極は、電流検出抵抗３５の一端に接続される。電流検出抵抗３５の他端は、ダイオード３４のアノードに接続される。
【００１９】
負荷回路４０は、電流調整回路３０の出力に接続される。負荷回路４０は、光源４１〜４４を備える。光源４１〜４４は、例えば発光ダイオードである。負荷回路４０は、ＬＥＤランプまたはＬＥＤモジュールを構成する。電流調整回路３０から出力される直流電流により、光源４１〜４４は点灯する。直列に接続された光源４１〜４４は、コンデンサ３３と並列に接続される。負荷回路４０が備える光源の数は１つ以上であれば良い。また、光源４１〜４４は並列または直並列に接続されていても良い。
【００２０】
制御回路５０は、マイクロコンピュータ５１、駆動回路５２、制御電源回路５３、電源電圧検出部５４、負荷電圧検出部５５および負荷電流検出部５６から構成される。
【００２１】
マイクロコンピュータ５１は駆動回路５２を介して直流電源回路２０、電流調整回路３０の動作を制御する。マイクロコンピュータ５１は、駆動回路５２を介してスイッチング素子２４およびスイッチング素子３１をオンオフする。マイクロコンピュータ５１は、演算部に該当する。マイクロコンピュータ５１は、シリアル通信端子５１ａを有する。マイクロコンピュータ５１は、シリアル通信端子５１ａを介して外部と通信する。
【００２２】
駆動回路５２は、マイクロコンピュータ５１から入力されるパルス信号に同期して、スイッチング素子２４、３１を駆動する。マイクロコンピュータ５１は、スイッチング素子２４、３１をそれぞれ独立して駆動する。
【００２３】
制御電源回路５３は、平滑コンデンサ２３の正極に接続される。制御電源回路５３は、入力フィルタ整流回路１０で整流され、直流電源回路２０で昇圧された直流電圧から、降圧チョッパ、ドロッパー等の構成を用いて定電圧を生成する。制御電源回路５３の出力電圧は、マイクロコンピュータ５１、駆動回路５２、外部インタフェース部１００に供給される。
【００２４】
電源電圧検出部５４は、入力フィルタ整流回路１０の出力に接続される。電源電圧検出部５４は、入力フィルタ整流回路１０の出力電圧波形を検出する。電源電圧検出部５４は、検出した電圧波形をマイクロコンピュータ５１に入力する。つまり、電源電圧検出部５４は、電源７の電源電圧を検出する。これにより、マイクロコンピュータ５１は、点灯装置８０への入力電圧の実効値を検出できる。また、マイクロコンピュータ５１は、電源７の電源電圧を直流電源回路２０の出力電圧の制御に用いる。
【００２５】
負荷電圧検出部５５は、コンデンサ３３の正極に接続される。負荷電圧検出部５５は、電流調整回路３０から負荷回路４０に供給される負荷電圧を検出する。負荷電圧検出部５５は検出した電圧波形をマイクロコンピュータ５１に入力する。これにより、マイクロコンピュータ５１は、負荷電圧の実効値を検出する。また、マイクロコンピュータ５１は、検出した電圧波形を電流調整回路３０の制御に用いる。
【００２６】
負荷電流検出部５６は、電流検出抵抗３５の一端に接続される。電流検出抵抗３５には、負荷回路４０に流れる負荷電流に対応する電圧が印加される。負荷電流検出部５６は、電流検出抵抗３５の両端に発生する電圧を用いて、電流調整回路３０から負荷回路４０に供給される負荷電流を電圧に変換して検出する。
【００２７】
負荷電流検出部５６は、検出した負荷電流に対応する電圧をマイクロコンピュータ５１に入力する。マイクロコンピュータ５１は、負荷電流に対応する電圧を電流調整回路３０の定電流制御に用いる。マイクロコンピュータ５１は、負荷電流があらかじめ定められた目標値と一致するように、スイッチング素子３１をオンオフする。
【００２８】
外部インタフェース部１００は、コネクタ等で構成される。外部インタフェース部１００には、制御電源回路５３で生成された定電圧の出力、マイクロコンピュータ５１のシリアル通信端子５１ａおよび図示しない接地用端子が接続される。
【００２９】
入力電流検出部５００は、コネクタ５０１、電流センサー５０３、電流検出部５０２から構成される。電流検出部５０２は、電流センサー５０３の検出値をシリアル通信信号に変換する。コネクタ５０１は、外部インタフェース部１００と接続される。入力電流検出部５００は、外部インタフェース部１００を介してマイクロコンピュータ５１と接続される。入力電流検出部５００は、コネクタ５０１によりマイクロコンピュータ５１と着脱可能に設けられる。シリアル通信信号に変換された電流センサー５０３の検出値は、コネクタ５０１を介してマイクロコンピュータ５１に送信される。
【００３０】
電流センサー５０３は電源７から点灯回路に供給される入力電流を検出する。電流センサー５０３は非接触型の電流センサーである。電流センサー５０３はクランプ式の電流センサーとも呼ばれる。電流センサー５０３は、点灯装置８０の入力端と、電源７とを繋ぐ配線７１から点灯回路への入力電流を検出する。
【００３１】
電流センサー５０３は、例えば配線７１の周囲に配置されたコイルを有する。電流センサー５０３は、コイルに電流が流れることで発生する起電力から点灯回路への入力電流を検出する。このように、入力電流検出部５００は、配線７１にクランプして入力電流を測定するクランプタイプの電流センサー５０３を備える。電流センサー５０３は交流電流を非接触で検出できる。
【００３２】
本実施の形態では、非接触型の電流センサー５０３およびコネクタ５０１を使用することで、入力電流検出部５００をマイクロコンピュータ５１および配線７１に対して容易に着脱できる。従って、照明器具６と入力電流を測定しない照明器具とで、点灯回路および制御回路５０を共用化できる。入力電力および回路変換効率を測定不要な場合、制御回路５０に入力電流検出部５００を装着しなくても良い。
【００３３】
次に、電源７から点灯回路への入力電力と、点灯回路の電力変換効率の算出方法について説明する。マイクロコンピュータ５１には、シリアル通信端子５１ａおよび外部インタフェース部１００を介して、入力電流検出部５００が検出した入力電流がリアルタイムに入力される。また、マイクロコンピュータ５１には、電源電圧検出部５４から電源電圧がリアルタイムに入力される。
【００３４】
マイクロコンピュータ５１は、電源電圧と入力電流とから、電源７から点灯回路への入力電力を演算する。マイクロコンピュータ５１は、リアルタイムに正確な入力電力を演算することができる。ここで、入力電力を演算する際に力率を考慮していない。しかし、本実施の形態の点灯回路は、直流電源回路２０により力率は１にほぼ等しくなっている。このため、力率を無視することができる。
【００３５】
さらに、マイクロコンピュータ５１には、負荷電圧検出部５５から負荷電圧がリアルタイムに入力される。また、マイクロコンピュータ５１には、負荷電流検出部５６から負荷電流がリアルタイムに入力される。マイクロコンピュータ５１は、負荷電圧と負荷電流とから、点灯回路から負荷回路４０に供給される出力電力を演算する。このように、マイクロコンピュータ５１は、リアルタイムに正確な出力電力を演算することができる。
【００３６】
次に、マイクロコンピュータ５１は、算出した出力電力と入力電力とから、点灯装置８０の電力変換効率を演算する。マイクロコンピュータ５１は、出力電力を入力電力で除することで、電力変換効率を得る。従って、マイクロコンピュータ５１は、リアルタイムに正確な電力変換効率を演算できる。
【００３７】
マイクロコンピュータ５１は、算出した入力電力と電力変換効率を、予め定められた方式の信号に変換し、外部インタフェース部１００を介して外部に送信する。マイクロコンピュータ５１は、出力先の信号方式に応じて、入力電力および電力変換効率をアナログ信号として外部に送信しても良く、デジタル信号として外部に送信しても良い。
【００３８】
本実施の形態では、点灯装置８０への入力電流および入力電圧、負荷回路４０への負荷電流および負荷電圧を測定することで、点灯装置８０への入力電力および電力変換効率を正確に演算できる。また、特別な補正係数等を用いずに点灯装置８０の入力電力および電力変換効率を演算できる。このため、周囲温度または負荷特性のばらつき等の複数の条件の組合せについて試験を行い、補正係数等を決定する必要がない。従って、入力電力および電力変換効率を容易に演算できる。
【００３９】
図２は、調光率と電力変換効率の関係の一例を示す図である。調光率は、ＬＥＤ電流比とも呼ばれる。調光率が高い程、つまり全光状態に近いほど、電力変換効率は高くなる。全光状態では、電力変換効率は約９３％である。調光率が低い程、電力変換効率は低くなり、約６０％まで低下する。このように、電力変換効率の変化幅は一般に非常に大きい。
【００４０】
本実施の形態では、マイクロコンピュータ５１は、現在の入力電流、電源電圧、負荷電流および負荷電圧を用いて、入力電力および電力変換効率を算出する。このため、調光率が変化しても、正確な電力変換効率を得ることができる。また、負荷の状態、入力電圧、周囲温度等の外的要因の影響を抑制し、正確な入力電力および電力変換効率を得ることができる。
【００４１】
図１に示される点灯装置８０は一例である。例えば、直流電源回路２０は、電源７を降圧して直流電圧を生成する回路であっても良い。また、電源電圧検出部５４は、例えば電源７の電圧を分圧して検出する回路であっても良い。また、負荷電圧検出部５５は、例えば負荷電圧を分圧して検出する回路であっても良い。また、入力電流検出部５００は、電源７から点灯回路に供給される入力電流を検出できれば良い。例えば、入力電流検出部５００は、点灯装置８０に組み込まれていても良い。
【００４２】
また、マイクロコンピュータ５１は、点灯回路の入力電力、出力電力および電力変換効率を予め定められた時間間隔で演算しても良い。また、マイクロコンピュータ５１は、外部からの要求に応じて、入力電力、出力電力および電力変換効率を演算しても良い。
【００４３】
図３は、実施の形態１の変形例に係る照明システム２００の構成を説明する図である。照明システム２００は複数の照明器具６と、制御装置１とを備える。複数の照明器具６は天井５に設置される。制御装置１と複数の照明器具６は、制御信号配線４で接続される。制御信号配線４は、照明器具６に搭載された外部インタフェース部１００と、制御装置１との間に接続される。制御装置１と照明器具６は、制御信号配線４を介してシリアル通信を行う。また、複数の照明器具６は、電源７と電源配線３で接続される。電源配線３は、照明器具６の各々が備える電源端子に接続される。
【００４４】
制御装置１は例えばパソコン等の制御端末である。制御装置１は照明器具６に対し、点灯、調光、消灯等の制御信号を送信する。これにより制御装置１は、外部インタフェース部１００を介して照明器具６の照明制御を行う。また制御装置１は、照明器具６から送信される入力電力および電力変換効率を受信する。制御装置１は、入力電力および電力変換効率に応じて、照明器具６を制御する。また、制御装置１は、照明器具６の入力電力および電力変換効率を表示部に表示する。また、制御装置１は、照明器具６の入力電力および電力変換効率等のデータを管理する。
【００４５】
制御装置１に照明器具６の消費電力が表示されることで、使用者または管理者は、照明器具６の消費電力を容易に把握できる。また、制御装置１は、複数の照明器具６の入力電力から、照明システム２００全体の消費電力を算出しても良い。
【００４６】
これらの変形は以下の実施の形態に係る点灯装置、照明器具および照明システムについて適宜応用することができる。なお、以下の実施の形態に係る点灯装置、照明器具および照明システムについては実施の形態１との共通点が多いので、実施の形態１との相違点を中心に説明する。
【００４７】
実施の形態２．
図４は、実施の形態２に係る照明システム３００の構成を説明する図である。照明システム３００は、複数の照明器具のうち一台のみが入力電流検出部５００を備える照明器具６である。他の照明器具２は、入力電流検出部５００を備えない。これ以外の構成は照明システム２００と同様である。
【００４８】
照明器具２の構成は、入力電流検出部５００を備えないこと以外は、照明器具６と同じである。照明器具２は、負荷電圧を検出する負荷電圧検出部５５と、負荷電流を検出する負荷電流検出部５６を備える。照明器具２のマイクロコンピュータ５１は、負荷電圧と負荷電流とから出力電力を演算する。照明器具２のマイクロコンピュータ５１は、演算した出力電力を、外部インタフェース部１００を介して制御装置１に出力する。照明器具２は制御装置１に制御信号配線４を介して出力電力を送信する。
【００４９】
入力電流検出部５００を備える照明器具６は、入力電力および回路変換効率を演算する。照明器具６は、演算した入力電力および電力変換効率を、外部インタフェース部１００を介して制御装置１に出力する。照明器具６は、制御信号配線４を介して、制御装置１に入力電力及び回路変換効率を送信する。
【００５０】
制御装置１は、照明器具６から取得した電力変換効率と、照明器具２から取得した出力電力とから、電源７から照明器具２の点灯回路への入力電力を演算する。つまり、制御装置１は、照明器具２から入手した出力電力を照明器具６から入手した電力変換効率で除することにより、照明器具２の入力電力を演算する。これにより、制御装置１は、入力電流検出部５００を備えない照明器具２の入力電力をリアルタイムで正確に演算できる。
【００５１】
ここで、照明器具６と照明器具２は、例えば同じ室内に設置される。また、照明器具６と照明器具２は、同一の制御グループに属する。つまり、制御装置１は照明器具６と照明器具２をまとめて制御するものとする。例えば、照明器具６と照明器具２は、同じ調光率に設定される。また、照明器具６と照明器具２の点灯回路は、同じ回路構成である。また、照明器具６と照明器具２の負荷回路４０の構成は同様であるものとする。つまり、照明器具６と照明器具２が備える光源４１〜４４は、同じ種類の光源であるものとする。
【００５２】
このように、同一環境に設置され、同一制御グループに属し、同一の構成である照明器具６と照明器具２では、搭載されている点灯装置８０が同一温度、同一調光率、同一負荷で動作する。このため、照明器具６と照明器具２の点灯装置８０は、電力変換効率が同じとなる。このとき、照明システム３００が備える複数の照明器具のうち一台のみで電力変換効率を測定すればよい。これにより、照明システム３００が備える全ての照明器具について入力電圧を演算できる。
【００５３】
また、一般に点灯装置８０の電力変換効率は、器具形状が異なっても、入出力条件が略同等であれば同一と近似できる。従って、照明器具６と照明器具２は、同一の負荷であれば、同一の器具形状でなくても良い。
【００５４】
本実施の形態によると、入力電力を演算するための追加コストを抑制できる。従って、安価な構成で照明器具２、６の入力電力をリアルタイムで正確に演算できる。
【００５５】
なお、各実施の形態で説明した技術的特徴は適宜に組み合わせて用いてもよい。
【符号の説明】
【００５６】
１  制御装置、２  照明器具、３  電源配線、４  制御信号配線、５  天井、６  照明器具、７  電源、１０  入力フィルタ整流回路、１１  入力フィルタ回路、１２〜１５  ダイオード、２０  直流電源回路、２１  インダクタ、２２  ダイオード、２３  平滑コンデンサ、２４  スイッチング素子、３０  電流調整回路、３１  スイッチング素子、３２  インダクタ、３３  コンデンサ、３４  ダイオード、３５  電流検出抵抗、４０  負荷回路、４１〜４４  光源、５０  制御回路、５１  マイクロコンピュータ、５１ａ  シリアル通信端子、５２  駆動回路、５３  制御電源回路、５４  電源電圧検出部、５５  負荷電圧検出部、５６  負荷電流検出部、７１  配線、８０  点灯装置、１００  外部インタフェース部、２００、３００  照明システム、５００  入力電流検出部、５０１  コネクタ、５０２  電流検出部、５０３  電流センサー
【図１】
2019220373.tif 000003
【図２】
2019220373.tif 000004
【図３】
2019220373.tif 000005
【図４】
2019220373.tif 000006